(57)【要約】【課題】レール装置で容器の底部の左右両端を支持する構成では、レール装置で容器の左右方向の変形を規制することができないので、容器の側面が変形してしまう恐れがある。【解決手段】容器２０６は、底部両端に設けられ扉フレーム２０５に保持される段部２６２と、段部２６２の間に設けられた狭幅部と、狭幅部の両端に設けられ下方に突出する凸部２６５を有することにより、容器２０６の大型化、大容積化を図りつつ、容器の強度を向上できる。さらに、冷気循環の妨げがなることなく、見栄えや意匠性が向上する。【選択図】図１１
2013057472.tif 000002
【特許請求の範囲】
【請求項１】
内箱と外箱と前記内箱と前記外箱との間に充填した断熱材とよりなる断熱箱体と、前記断熱箱体の内方に形成され前面が開口する貯蔵室と、前記貯蔵室の内部に設けられ上面が開口する容器と、前記貯蔵室の前面開口を開閉自在に閉塞する引出扉と、前記引出扉とともに前記容器を前後に移動可能とするレール装置とを備え、前記容器は、底部両端に設けられ前記レール装置に保持される段部と、前記段部の間に設けられた狭幅部と、前記狭幅部の両端に設けられ下方に突出する凸部とを有することを特徴とする冷蔵庫。
【請求項２】
前記レール装置は内箱に固定された固定レールと、固定レールに対し移動可能に設けられた移動レールとを備え、前記凸部は前記移動レールの下面より下方に突出することを特徴とする請求項１に記載の冷蔵庫。
【請求項３】
前記レール装置は内箱に固定された第１レールと、第１レールに対し移動可能に設けられた第２レールと、第２レールに対し移動可能に設けられた第３レールとを備え、前記凸部は前記第２レールの下面より下方に突出することを特徴とする請求項１に記載の冷蔵庫。
【請求項４】
前記狭幅部は、深さの異なる複数の収納部を有し、前記凸部は最も深さの深い収納部の底面まで突出することを特徴とする請求項１に記載の冷蔵庫。
【請求項５】
前記容器の側面の上端部にフランジ部を設け、前記フランジ部の下面より下方、かつ、前記レール装置の上面より上方に位置する前記容器の側面には、凹凸が形成されていないことを特徴とする請求項１に記載の冷蔵庫。
【発明の詳細な説明】
【技術分野】
【０００１】
本発明は、冷蔵庫に関し、特に引出式の貯蔵室を形成する引き出し構造およびそれに用いる容器に関するものである。
【背景技術】
【０００２】
従来、冷蔵庫は、奥まで無駄なく貯蔵できる、使い勝手がよい等の観点から、冷蔵庫の下段に引き出し式の貯蔵室を備えることが多い。このような引き出し式の貯蔵室は、貯蔵室を出し入れする際の円滑性、貯蔵室への食品の出し入れの容易性、および、貯蔵室を形成する容器の着脱の容易性などが求められている。
【０００３】
そこで、引き出し式の貯蔵室の使い勝手を向上させる技術も開示されている（例えば、特許文献１参照）。
【０００４】
図１３は、従来の冷蔵庫１００の側断面を示す図である。
【０００５】
図１３に示す従来の冷蔵庫１００は、断熱箱体１０１内に、冷蔵室１０２、温度変更が可能な切換室１０６、切換室１０６に併設された製氷室（図示せず）、野菜室１０３、および冷凍室１０４を貯蔵室として備えている。
【０００６】
断熱箱体１０１は、外箱１１２と内箱１１０と、外箱１１２および内箱１１０の間に充填された断熱材１１１と、で形成されている。
【０００７】
野菜室１０３の構成要素である容器３０６は、野菜室１０３の引出扉２０１に接続された２つのレール装置２０２に支持されている。また、冷凍室１０４の構成要素である容器３０６は、冷凍室１０４の引出扉２０１に接続された２つのレール装置２０２に支持されている。
【０００８】
２つのレール装置２０２は、容器３０６の両側面の上方または中央付近を支持するとともに、容器３０６の左右方向の変形を規制している。
【０００９】
あるいは、別の従来の冷蔵庫では、レール装置２０２で容器３０６の底部の左右両端を支持し、引き出し式の貯蔵室の実収納容積の増加を図っているものもある（例えば、特許文献２参照）。
【先行技術文献】
【特許文献】
【００１０】
【特許文献１】特開２００６−１７７６５３号公報
【特許文献２】特開２００９−２２８９４８号公報
【発明の概要】
【発明が解決しようとする課題】
【００１１】
しかしながら、レール装置２０２で容器３０６の底部の左右両端を支持する構成では、レール装置２０２で容器３０６の左右方向の変形を規制することができないので、以下のような課題が生じていた。
【００１２】
容器３０６内に多量の収納物が収納された場合など、容器３０６の側面が内箱１１０側に倒れる方向に変形してしまう恐れがある。この変形がひどい場合には、容器３０６の側
面が内箱１１０に接触し、スムーズな引出扉の開閉ができなくなるという課題がある。
【００１３】
あるいは、容器３０６の側面の内壁側に強度を補強するリブなどを設けると、実収納容積が低下するという課題がある。逆に、容器３０６の側面の外壁側に強度を補強するリブなどを設けると、容器３０６の側面に沿って流れる冷却冷気の風路抵抗が増加したり、冷気の溜りが生じることで結露や着霜が発生したりするといった課題がある。
【００１４】
本願発明は、上記従来の課題を解決するもので、引き出し式の貯蔵室を備える冷蔵庫であって、引出式の貯蔵室に広い実収納容積を有する容器の変形を防止した冷蔵庫の提供を目的とする。
【課題を解決するための手段】
【００１５】
上記従来の課題を解決するために、本願発明の冷蔵庫は、内箱と外箱と前記内箱と前記外箱との間に充填した断熱材とよりなる断熱箱体と、前記断熱箱体の内方に形成され前面が開口する貯蔵室と、前記貯蔵室の内部に設けられ上面が開口する容器と、前記貯蔵室の前面開口を開閉自在に閉塞する引出扉と、前記引出扉とともに前記容器を前後に移動可能とするレール装置とを備え、前記容器は、底部両端に設けられ前記レール装置に保持される段部と、前記段部の間に設けられた狭幅部と、前記狭幅部の両端に設けられ下方に突出する凸部とを有するものである。
【００１６】
これによれば、レール装置が容器の底部の左右両端に取り付けられているため、レール装置に支持される容器の大型化、大容積化を図ることができるとともに、底面の両端に凸部を設けることで、容器側面にリブなどを設けることなく容器の強度を向上できる。
【発明の効果】
【００１７】
本発明の冷蔵庫は引出式の貯蔵室において広い実収納空間を確保しつつ、容器の強度を向上させることができる。
【図面の簡単な説明】
【００１８】
【図１】本発明の実施の形態１における冷蔵庫の正面図
【図２】本発明の実施の形態１における冷蔵庫の断面図
【図３】本発明の実施の形態１における冷蔵庫のレール装置を示す斜視図
【図４】本発明の実施の形態１における冷蔵庫の野菜室における内箱とレール装置の取付部を示す断面図
【図５】本発明の実施の形態１における冷蔵庫の引出扉とレール装置とを示す斜視図
【図６】本発明の実施の形態１における冷蔵庫のレール装置と容器とを示す断面図
【図７】（Ａ）本発明の実施の形態１における冷蔵庫のレール装置と容器の配置を示した要部拡大図（Ｂ）同冷蔵庫のレール装置と容器の配置を示した要部拡大図（Ｃ）同冷蔵庫のレール装置と容器の配置を示した要部拡大図
【図８】本発明の実施の形態１における冷蔵庫の容器の斜視図
【図９】本発明の実施の形態１における冷蔵庫の容器の側面図
【図１０】本発明の実施の形態１における冷蔵庫の容器の背面図
【図１１】本発明の実施の形態１における冷蔵庫の引出扉、扉フレームと容器の配置関係を説明する側面図
【図１２】本発明の実施の形態２における冷蔵庫の容器の側面図
【図１３】従来の冷蔵庫の断面図
【発明を実施するための形態】
【００１９】
第１の発明は、内箱と外箱と前記内箱と前記外箱との間に充填した断熱材とよりなる断熱箱体と、前記断熱箱体の内方に形成され前面が開口する貯蔵室と、前記貯蔵室の内部に
設けられ上面が開口する容器と、前記貯蔵室の前面開口を開閉自在に閉塞する引出扉と、前記引出扉とともに前記容器を前後に移動可能とするレール装置とを備え、前記容器は、底部両端に設けられ前記レール装置に保持される段部と、前記段部の間に設けられた狭幅部と、前記狭幅部の両端に設けられ下方に突出する凸部とを有するものである。
【００２０】
これによれば、レール装置が容器の底部の左右両端に取り付けられているため、レール装置に支持される容器の大型化、大容積化を図ることができるとともに、底面の両端に凸部を設けることで、容器側面にリブなどを設けることなく容器の強度を向上できる。さらに、容器の側面に沿って流れる冷却冷気の風路抵抗が増加することがなく、冷気を無駄なく循環させることができることから省エネ運転を実現できる。
【００２１】
第２の発明は、特に、第１の発明において、前記レール装置は内箱に固定された固定レールと、固定レールに対し移動可能に設けられた移動レールとを備え、前記凸部は前記移動レールの下面より下方に突出することにより、引出扉を開けたときに、移動レールの前方に生じる隙間に、指などが挟まることを防止できるので、安全性が向上する。
【００２２】
第３の発明は、特に、第１の発明において、前記レール装置は内箱に固定された第１レールと、第１レールに対し移動可能に設けられた第２レールと、第２レールに対し移動可能に設けられた第３レールとを備え、前記凸部は前記第２レールの下面より下方に突出することにより、引出扉を開けたときに、第２レールの前方に生じる隙間に、足指などが挟まることを防止できるので、安全性が向上する。
【００２３】
第４の発明は、特に、第３の発明において、前記狭幅部は、深さの異なる複数の収納部を有し、前記凸部は最も深さの深い収納部の底面まで突出することによって、容器の底面が平面となるため、容器を取り出して、床などに置いた場合にも、容器が安定し、容器内の収納物が倒れたり崩れたりすることがない。
【００２４】
第５の発明は、特に、第１の発明において、前記容器の側面の上端部にフランジ部を設け、前記フランジ部の下面より下方、かつ、前記レール装置の上面より上方に位置する前記容器の側面には、凹凸が形成されていないことによって、容器の側面の大部分が平面となるため、容器の側面を前方から後方へと流れる冷却冷気の風路抵抗を低減できるとともに、意匠性が向上する。
【００２５】
以下、本発明の実施の形態について、図面を参照しながら説明する。なお、この実施の形態によって本発明が限定されるものではない。
【００２６】
（実施の形態１）
図１は、本発明の実施の形態１における冷蔵庫の正面図である。
【００２７】
図１に示すように、本実施の形態にかかる冷蔵庫１００は、観音開き式の扉を上部に備える冷蔵庫１００であり、冷蔵庫１００の内方と外方とを断熱状態で隔てる断熱箱体１０１内に複数に区画された貯蔵室を備えている。
【００２８】
冷蔵庫１００の内の複数に区画された貯蔵室は、その機能（冷却温度）によって冷蔵室１０２、製氷室１０５、庫内の温度が変更できる切換室１０６、野菜室１０３、および冷凍室１０４等と区別して称されることがある。
【００２９】
冷蔵庫１００の最上部に位置する冷蔵室１０２の前面開口部には、例えばウレタンのような発泡断熱材を発泡充填した回転式の断熱扉１０７が設けられ、棚状の収納空間となっている。
【００３０】
また、冷蔵室１０２の下方に配置される製氷室１０５、切換室１０６、野菜室１０３、および冷凍室１０４は引出式の収納空間となされている。
【００３１】
断熱箱体１０１は、金属製の外箱１１２と樹脂製の内箱１１０との間に例えば硬質発泡ウレタンなどの断熱材１１１を充填して形成される少なくとも一面が開口した直方体の箱体である。この断熱箱体１０１は、外方の雰囲気（大気）から断熱箱体１０１の内方に流入しようとする熱を遮断する機能を有している。
【００３２】
冷蔵室１０２は、冷蔵保存のために収容物が凍らない程度の低い温度に維持される貯蔵室である。具体的な温度の下限としては、通常１〜５℃で設定されている。
【００３３】
野菜室１０３は、断熱箱体１０１の最下部に配置され、主として野菜の冷蔵を目的とした貯蔵室である。また、野菜室１０３は、冷蔵室１０２と同等もしくは若干高い温度設定となされている。具体な温度の下限としては、２℃〜７℃である。なお、低温にするほど葉野菜の鮮度を長期間維持することが可能である。
【００３４】
冷凍室１０４は、冷凍温度帯に設定される貯蔵室である。具体的には、冷凍保存のために通常−２２〜−１８℃で設定されているが、冷凍保存状態の向上のために、たとえば−３０や−２５℃の低温で設定されることもある。
【００３５】
製氷室１０５は、内方に製氷機（図示せず）を設け製氷機で氷を作りその氷を保存する貯蔵室である。設定温度は冷凍室１０４とほぼ同等である。
【００３６】
切換室１０６は、冷蔵庫１００に取り付けたれた操作盤により、用途に応じ冷蔵温度帯から冷凍温度帯まで切り換えることができる。
【００３７】
図２は、本発明の実施の形態１における冷蔵庫の縦断面図であり、図１におけるＡ−Ａ線で切断した状態を示している。
【００３８】
図２に示すように、異なる温度帯の貯蔵室を区画するために、各貯蔵室の間に仕切壁１０８が設置されている。冷蔵庫１００に備えられる貯蔵室のうち引出式の貯蔵室には、前面開口を閉塞する引出扉２０１と、引出扉２０１と断熱箱体１０１とを伸縮自在に接続するとともに貯蔵室の内部に備えた容器２０６を前後に移動可能とするレール装置２０２とが設けられている。
【００３９】
引出扉２０１は、貯蔵室の開口を開閉自在に閉塞することができる断熱性を備えた板状の部材であり、奥側周縁にパッキン２０７を備えている。パッキン２０７は、引出扉２０１が貯蔵室の開口を閉塞した状態で断熱箱体１０１等と密着し、冷気が漏れるのを防いでいる。また、引出扉２０１の正面上部には、貯蔵室を手前に引き出すときに手を掛ける手掛部２０１ａを備えている。
【００４０】
引出扉２０１には、扉フレーム２０５が引出扉２０１に対して垂直突出状に取り付けられている。そして、扉フレーム２０５は、レール装置２０２に取り付けられている。さらに、扉フレーム２０５は容器２０６の底部両端を保持している。すなわち、容器２０６は、レール装置２０２に取り付けられた扉フレーム２０５を介して、レール装置２０２に取り付けられている。
【００４１】
図３は、本発明の実施の形態１における冷蔵庫のレール装置を示す斜視図である。
【００４２】
図３に示すように、レール装置２０２は、三段に重ねられた三つのレールを有し、第２レール（ミドルレール２２１）が第１レール（キャビネットレール２２２）に対して移動可能であり、かつ、第３レール（トップレール２０３）が第２レール（ミドルレール２２１）に対して移動可能であることにより、全体として伸縮可能である。
【００４３】
キャビネットレール２２２は、内箱１１０の側面または底面に固定された「固定レール」であり、トップレール２０３とミドルレール２２１とが、固定レールに対し移動可能に設けられた「移動レール」である。
【００４４】
キャビネットレール２２２には、平板状のレール取付部２２３が一体に形成されている。
【００４５】
図４は、本発明の実施の形態１における冷蔵庫の内箱とレール装置の取付部を示す断面図である。図４では、引出式の貯蔵室のうち最下部の貯蔵室である野菜室１０３を例に説明する。
【００４６】
まず、レール装置２０２について説明する。
【００４７】
キャビネットレール２２２の長手方向に垂直な断面形状は、左右対称ではなく、高さの高い方の側面が、内箱１１０の内側面に固定されている。
【００４８】
ミドルレール２２１は、断面がＩの字状であり、左右に突出したフランジを長手方向の上下に有する形状である。この上下のフランジのうちの下のフランジは、キャビネットレール２２２に長手方向に移動可能に保持されている。
【００４９】
トップレール２０３は、断面がコの字状の断面形状であり、ミドルレール２２１の上のフランジを長手方向に移動可能に保持している。
【００５０】
キャビネットレール２２２とトップレール２０３のそれぞれは、回転支持部材保持部１４６により複数の回転支持部材１４５を保持しており、この回転支持部材１４５によりミドルレール２２１を移動可能に保持している。なお、回転支持部材１４５としては、ベアリングを用いることができる。
【００５１】
より詳細に説明すると、ミドルレール２２１の上下のフランジのうち、下のフランジを中心とする部分をキャビネットレール２２２が複数の回転支持部材１４５を介して三方向から保持している。
【００５２】
また、ミドルレール２２１の上フランジを中心とする部分をトップレール２０３が複数の回転支持部材１４５を介して三方向から保持している。
【００５３】
キャビネットレール２２２、ミドルレール２２１およびトップレール２０３がこのように組み合わされていることにより、ミドルレール２２１は、キャビネットレール２２２上をその長手方向に移動可能である。さらに、トップレール２０３は、ミドルレール２２１上をその長手方向に移動可能である。つまり、トップレール２０３は、ミドルレール２２１を介してキャビネットレール２２２上をその長手方向に移動可能である。
【００５４】
また、ミドルレール２２１およびトップレール２０３は、複数の回転支持部材１４５が回転することによりスムーズに移動することができる。
【００５５】
トップレール２０３、ミドルレール２２１、キャビネットレール２２２、回転支持部材
１４５は、予め組み込んだ状態で、内箱１１０に取り付けられる。
【００５６】
次に、レール装置２０２の内箱１１０への取付について説明する。
【００５７】
図４に示すように、キャビネットレール２２２に一体に形成されたレール取付部２２３を内箱１１０の側部に面で当接するように配設し、内箱１１０の側部にビス４００によって固定する。
【００５８】
このとき、取り付け面となる内箱１１０は主に樹脂によって成型されているため、内箱１１０に直接ビスを固定しても、レール装置２０２にかかる荷重に耐え得る強度が確保できない。そこで、レール装置２０２を確実に固定する手段として、レール取付部２２３を、内箱１１０を介して、断熱材１１１内に埋設したレール保持部材２８０に取り付ける。
【００５９】
レール保持部材２８０は主に鉄などの金属材料によって形成される。また、レール保持部材２８０を、あらかじめ内箱１１０内面の所定位置に固定し、その後、発泡断熱材を内箱１１０と外箱１１２との間に充填しに断熱材１１１内に埋没させることにより、レール保持部材２８０の保持力をより向上させることが可能となる。
【００６０】
レール保持部材２８０は、レール取付部２２３とビス４００で固定されるレール保持部２８０ａと、レール装置２０２の内倒れを防止する内倒れ防止手段２８０ｂとを備えている。レール保持部２８０ａは、略Ｌ字状の縦フランジ部と横フランジ部とで形成され、内箱１１０の側面部と底面部に密着している。内倒れ防止手段２８０ｂは、レール保持部２８０ａの底面部となる横フランジ部に一体形成され、また内箱１１０から離れる方向で、下方に向かう下フランジ部となって形成されている。
【００６１】
内倒れ防止手段２８０ｂが下方に向かう下フランジ部となって、断熱材１１１内に埋設されているので、レール取付部２２３に野菜室庫内側へ倒れ込む方向にモーメントが働いても下フランジ部の内倒れ防止手段２８０ｂが、その下部に充填された断熱材１１１によって阻止されるので、倒れこみを防止し、レール保持部材２８０の強度をさらに確保でき、野菜室１０３のレール装置２０２の庫内側方向への倒れを防止することができる。
【００６２】
また、野菜室１０３の底面壁４０１は、両側部に底面段差部４０１ａが形成され、底面段差部４０１ａは底面壁４０１の基準面となる中央部よりも一段高く、奥行き方向に向かって形成されている。
【００６３】
そして、底面段差部４０１ａ上にレール装置２０２が配設されている。またレール装置２０２が固定される内箱１１０の側壁面部には側面段差部１１０ａが形成されている。側面段差部１１０ａは野菜室１０３内の上部側壁面部よりも外箱１１２側へ凹んで形成され壁厚が薄くなっている。
【００６４】
レール取付部２２３は、側面段差部１１０ａを間に挟んで金属製のレール保持部材２８０とビス４００で側面固定される。
【００６５】
したがって、レール装置２０２を底面段差部４０１ａに載置して側面段差部１１０ａにビス止め固定するので、収納空間内に飛び出すレール装置２０２を抑制することができ、野菜室１０３内に容器２０６の全幅寸法を大きくでき、無効空間を低減することができる。
【００６６】
また、底面段差部４０１ａに載置してレール装置２０２を組立てるので作業性を向上できる。さらに、底面段差部４０１ａの部分は底面壁４０１の壁厚が大きくなるので、断熱
性を確保できる。
【００６７】
また、最下段の野菜室１０３の引出扉２０１は上段の冷凍室１０４の引出扉２０１よりも下方にあり、利用者が引出扉２０１を引出した時に、位置的に最下段にある野菜室１０３の引出扉２０１に体重をかけやすい位置にあるので、収納量の負荷以外に外部の負荷量もかかる虞が高い。
【００６８】
しかし、本実施の形態では、レール保持部材２８０を略Ｌ字状のレール保持部２８０ａと下フランジ部となる内倒れ防止手段２８０ｂとを一体に形成したので、最下段の引出扉２０１のレール装置２０２の倒れ込み防止として、より強固に保つことができる。
【００６９】
冷凍室１０４、野菜室１０３ともに側面段差部１１０ａによって側面の壁厚が薄くなっているので、真空断熱材（図示しない）をレール装置２０２が配設される部分に対応させて、具体的には冷凍室１０４と野菜室１０３のレール装置２０２間よりも高さ寸法が大きい真空断熱材を外箱１１２に貼り付けることで断熱性を確保することもできる。
【００７０】
引出扉２０１とレール装置２０２との取付について説明する。
【００７１】
図５は、本発明の実施の形態１における引出扉とレール装置とを接続した状態を示す斜視図である。
【００７２】
図５に示すように、引出扉２０１は、奥側面のほぼ全面を覆う内側板２１１と、扉フレーム２０５とを備えている。内側板２１１は、引出扉２０１を構成する部材の一つであり、真空成形により形成される板状の部材である。内側板２１１に直接に固定された扉フレーム２０５は、ビスなどを用いてレール装置２０２を構成するトップレール２０３に接続されることにより、引出扉２０１は、レール装置２０２の機能により引き出されたり押し戻されたりすることが可能となっている。
【００７３】
引出扉２０１、特に引出扉２０１の上端部を持って引き出したり押し戻したりしたときに発生する応力が、トップレール２０３の基端部に集中するのを緩和するため、扉フレーム２０５の基端部は、扉フレーム２０５の主要部より上方に突出した拡大部２８１を備えている。
【００７４】
扉フレーム２０５は、扉フレーム２０５の一辺に対応する端縁が引出扉２０１の内側板２１１に沿うように折曲される折曲部２４１を備えており、折曲部２４１は、トップレール２０３の基端部より上方の引出扉２０１の部分に取り付けられている。拡大部２８１を折曲部２４１と扉フレーム２０５との間に設けることで、扉フレーム２０５と引出扉２０１との固定部の大きさを高さ方向に大きくすることとなり、引出扉２０１に対して下部に取り付けられているレール装置２０２と引出扉２０１との取付部の強度不足を補い、スムーズな引出扉の開閉を行うことが可能となる。
【００７５】
また、内側板２１１には容器固定手段３０１が設けられている。容器固定手段３０１は金属製の部材で、内側板２１１の裏側の発泡断熱材内に固定された平板状の金属板（図示せず）に、内側板２１１を介してビス等により固定されている。容器固定手段３０１の上方は内側板２１１との間に隙間を備えており、この隙間に容器２０６の一部を差し込むことで、容器を固定できる。
【００７６】
これらの構成により、引出扉２０１を持って引き出したり押し戻したりした場合であっても、応力がトップレール２０３の取付部に集中することはなく、折曲部２４１や扉フレーム２０５を介して接続されている部分に分散するため、全体として引出扉２０１とトッ
プレール２０３との取付強度を向上することが可能となる。
【００７７】
これは、トップレール２０３が引出扉２０１の下部に取り付けられている本実施の形態のような場合には、特に有効である。仮に、レール装置２０２を引出扉２０１の上下方向中央部付近に取り付けた場合において必要となる最低限の強度を確保した扉フレーム２０５を用いて、本実施の形態の位置と同様に、レール装置２０２を引出扉２０１の上下方向中央部より下方に配置した状態で、引出扉２０１を前後に開閉操作を行った場合、扉フレーム２０５の引出扉２０１との固定部側の強度不足により、扉フレーム２０５、若しくは内側板２１１に変形が起こり、結果として、引出扉２０１に備えられているパッキン２０７が断熱箱体１０１から離れ、隙が発生し、冷蔵庫内に着霜等の品質不良へと繋がる可能性もある。
【００７８】
引出扉２０１とトップレール２０３との取付部が引出扉２０１の下部に有ると、引出扉２０１の上部を持って引き出したり押し戻したりした場合、取付部にかかるモーメントが比較的大きくなるが、本実施の形態は、取付部よりも上方に突出した拡大部２８１を設けた扉フレーム２０５が取り付けられ、また、取付部よりも上方に容器固定手段３０１が設けられている。このため、引っ張り力の支点となる位置を上方とでき、取付部にかかるモーメントが小さくなるので、トップレール２０３の取付部を破損から保護することが可能となる。
【００７９】
容器２０６とレール装置２０２との配置関係についてより詳細に説明する。
【００８０】
図６は、本発明の実施の形態１における冷蔵庫のレール装置の間に容器を配置した状態を奥側から示す概略断面図である。
【００８１】
図６に示すように、容器２０６は、野菜やペットボトルに充填された飲料、冷凍食品などを収容するための容器であり、上面が開口した樹脂製の箱体である。容器２０６は、下部の両端部に内方に向く段部２６２が形成されるように幅が狭い狭幅部２６１を備えている。そして容器２０６は、狭幅部２６１が２本のレール装置２０２の間に配置され、段部２６２が扉フレーム２０５の上面に載置されることで、扉フレーム２０５を介してレール装置２０２に支持される。
【００８２】
このように、レール装置２０２が引出扉２０１の下部の両角に設けられているため、容器２０６の内、幅を狭くしなければならない狭幅部２６１をできる限り短く抑えることが可能となる。従って、容器２０６は、収納容積ができる限り広くなるような形状を採用することが可能となる。
【００８３】
図７は、本発明の実施の形態１における冷蔵庫のレール装置と容器の配置を示した要部拡大図である。
【００８４】
本実施の形態では、図７の（Ａ）に示すように、容器２０６は、下部の両端部に内方に向く段部２６２が形成されるように幅が狭い狭幅部２６１を備えるものとしたが、図７の（Ｂ）や図７の（Ｃ）に示すように、容器２０６の側面はほぼストレート形状とし、容器２０６は段部２６２を設けないで、レール装置２０２は、容器２０６の底部の左右両端の側方で支持したり（図７の（Ｂ）参照）、あるいは、容器２０６の底部の左右両端の下方で支持したり（図７の（Ｃ）参照）してもよい。
【００８５】
なお、図７では、レール装置２０２と容器２０６の位置関係を示すものであって、扉フレーム２０５は、省略して図示していない。
【００８６】
以上の構成により、引出扉２０１の最大引き出し距離は、容器２０６が完全に開放する長さとなる。つまり、野菜室１０３を全開にしたときに、容器２０６の背面の端部が野菜室１０３直上の引出扉２０１の前面より前方に位置する。このため、容器２０６の奥への食品の収納、および、奥からの食品の取り出しが容易である。また、容器２０６が上部の引出扉２０１に干渉しないため、容器２０６の取付、取外しを容易に行うことができる。
【００８７】
容器２０６について、図８から図１０を用いて説明する。
【００８８】
図８から図１０は、それぞれ、本発明の実施の形態１における冷蔵庫の容器の斜視図、側面図、背面図である。
【００８９】
図８から図１０に示すように、容器２０６は開口部の周囲には外側に凸となるフランジ部を備えている。すなわち、前面の上端部には前面フランジ部２０６ａ、両側面の上端部には側面フランジ部２０６ｂ、背面の上端部には背面フランジ部２０６ｃがそれぞれ連続するように設けられている。フランジ部は前面、側面、背面のそれぞれの側壁を折り返すように形成されており、その内部は中空であることが軽量化の面で望ましい。このフランジ部を設けることにより、容器２０６の開口部の強度を増すことができる。
【００９０】
また、容器２０６の背面の壁面高さは、前面または両側面の壁面高さより低くなるように構成されている。換言すると、背面フランジ部２０６ｃは、前面フランジ部２０６ａおよび／または側面フランジ部２０６ｂより低い位置に設けられている。
【００９１】
容器２０６の両側面の下部に備えられた段部２６２には、容器２０６と一体成形され、下方に凸となる突起部２０６ｄが前方、および／または、後方に設けられている。
【００９２】
引っ張り力の支点となる位置を引出扉２０１よりも後方とすることで、取付部にかかるモーメントが小さくなるため、トップレール２０３の取付部またはレール固定部の取付部を破損から保護することが可能となる。
【００９３】
また、段部２６２の外側には、突起部２０６ｄを覆うように前後方向（奥行き方向）に細長い板状の側面ひれ部２６６が、設けられている。側面ひれ部２６６は、容器２０６の側面の平面を下方延長するように段部２６２の両端から下方に突出するように設けられている。
【００９４】
容器２０６の底部には、底部から内側に凸となる底面リブ２０６ｅが設けられている。底面リブ２０６ｅは、容器２０６の奥行き方向における中心より前方、つまり、容器２０６を野菜室１０３内に取り付けた後においては引出扉２０１側に設けられている。底面リブ２０６ｅは容器２０６の両側面を亘って幅方向に設けられており、さらに、底面リブ２０６ｅの頂部は、段部２６２より上方となるように設けられている。
【００９５】
底面リブ２０６ｅにより容器２０６は、前方に配置された第１収納部２６３と後方に配置された第２収納部２６４の２つの領域に区画される。第１収納部２６３の深さは第２収納部２６４の深さより深くなるように構成されている。
【００９６】
容器２０６の底面のうち、狭幅部２６１の両端には、前後方向（奥行き方向）に細長い角柱状の凸部２６５が、第２収納部２６４の底面から下方に突出するように設けられている。凸部２６５は、第２収納部２６４の両端の大部分に亘って備えられており、その高さは第１収納部２６３の底面と同一平面までの高さである。
【００９７】
第２収納部２６４の底面の容器内側には、左右方向に細長い平板状に庫内側（上方）の
突出する底面内側リブ部２６７が、複数、設けられている。
【００９８】
さらに、第２収納部２６４の底面の容器外側には、網目状に庫外側（下方）の突出する底面外側リブ部２６８が、両端の凸部２６５の間に設けられている。
【００９９】
容器２０６の扉フレーム２０５への取付について、図１１を用いて説明する。図１１は、本発明の実施の形態１における冷蔵庫の引出扉、扉フレームと容器の配置関係を説明する側面図である。
【０１００】
図１１に示すように、容器２０６の前面フランジ部２０６ａを、内側板２１１に設けられた容器固定手段３０１と内側板２１１との間に隙間に差し込むことで、容器２０６は、引出扉２０１に固定できる。
【０１０１】
また、容器２０６の突起部２０６ｄは、扉フレーム２０５に形成された切欠き形状の固定孔部（図示せず）に挿入される。さらに、側面ひれ部２６６により、扉フレーム２０５の外側の上方端部を覆うようにする。これにより、容器２０６は、扉フレーム２０５に固定できる。
【０１０２】
そして、容器２０６が扉フレーム２０５へ正しく取り付けられた状態では、凸部２６５は移動レールであるミドルレール２２１の下面より下方に突出する。換言すると、引出扉２０１の下端面を含む水平面Ｓ１と、ミドルレール２２１の下面を含む水平面Ｓ２との間に突出する。
【０１０３】
以上のように本実施の形態では、狭幅部２６１の両端に凸部２６５を設けることで、容器２０６側面にリブなどを設けることなく、容器２０６の強度を向上できる。また、容器２０６の前面フランジ部２０６ａを引出扉２０１の容器固定手段３０１に固定し、突起部２０６ｄ、側面ひれ部２６６で扉フレーム２０５と固定することで、引出扉２０１に対して下部に取り付けられているレール装置２０２と引出扉２０１との取付部の強度不足を補い、スムーズな引出扉の開閉を行うことが可能となる。
【０１０４】
また、凸部２６５が移動レールであるミドルレール２２１の下面より下方に突出することにより、ミドルレール２２１の前端部Ａと第１収納部２６３の後端部Ｂとの間、または、ミドルレール２２１の前端部Ａと引出扉２０１の後端部Ｃとの間に、手足の指などを挟むことを防止できる。すなわち、仮にミドルレール２２１の前端部Ａと第１収納部２６３の後端部Ｂや引出扉２０１の後端部Ｃとの間に、側方から手足の指などを挿入したとしても、凸部２６５に当たり、それ以上、指などが入ることがない。このため、その状態で、引出扉２０１を閉じたとしても、手足の指などを挟むことがない。
【０１０５】
特に、本実施の形態のように、凸部２６５を備えた容器２０６が最下段の貯蔵室に収納される場合には、引出扉２０１の下端面を含む水平面Ｓ１から３０〜５０ｍｍ下方に、冷蔵庫１００が置かれる床面が存在するので、誤って足指を挟む可能性が高くなるため、引出扉２０１を閉じたときに、手足の指などを挟むことを防止する意義が大きい。
【０１０６】
さらに、凸部２６５が第１収納部２６３の底面と同一平面となるように突出することにより、容器２０６を取り出して、床などに置いた場合にも、容器２０６が第１収納部２６３と第２収納部２６４の深さの違いによって、容器２０６全体が斜めになることがなく、容器２０６内の収納物が倒れたり崩れたりすることがない。
【０１０７】
容器２０６は扉フレーム２０５によって底部で保持されているため、レール装置２０２が容器２０６の側方の空間を上下に分断することがなく、上下の温度差や対流溜まりによ
る結露や着霜が発生することがない。
【０１０８】
さらに、容器２０６の側面のうち、側面フランジ部２０６ｂの下面より下方、かつ、と扉フレーム２０５の上面より上方は、側面ひれ部２６６を備えることで、凹凸が形成されていない平坦な形状である。これにより、容器２０６の側面に沿って前方から後方へと流れる冷却冷気の風路抵抗を低減できる。これにより、冷却ファン（図示せず）の入力を低減でき、冷蔵庫の省エネルギー化が図れる。また、側面がフラットな形状となるため意匠性が向上する。
【０１０９】
また、引出扉２０１とともに容器２０６を引き出した際に、容器２０６内の冷気の容器２０６外、つまり、野菜室１０３外への流出を低減でき、冷蔵庫の省エネルギー化が図れる。
【０１１０】
また、底面リブ２０６ｅを前方側に設けていること、底面リブ２０６ｅは容器２０６の両側面を亘って幅方向に設けていること、第１収納部２６３の深さは第２収納部２６４の深さより深くなるように構成していることによっても、容器２０６の側面にかかる奥行き方向に引っ張られる力に対する強度を確保できる。
【０１１１】
なお、本実施の形態では、第１収納部２６３を設けるものとして説明したが、第１収納部２６３がなくてもよい。あるいは、さらに複数の収納部、例えば、第３収納部を設けてもよい。
【０１１２】
また、凸部２６５は、角柱状でなくてもよく、引出扉２０１を開いた際に、引出扉２０１の下端面を含む水平面Ｓ１と、ミドルレール２２１の下面を含む水平面Ｓ２との間に突出し、ミドルレール２２１の前端部Ａと第１収納部２６３の後端部Ｂ、または、引出扉２０１の後端部Ｃとの間に生じる隙間を減少させる形状であればよい。
【０１１３】
また、本実施の形態では、野菜室１０３に収納される容器として説明したが、冷凍室１０４に収納される容器であっても、同様の効果が得られる。
【０１１４】
（実施の形態２）
図１２は、本発明の実施の形態２における冷蔵庫の容器を示す側面図である。本実施の形態においては、実施の形態１と異なる点のみを説明し、同様の構成、動作、作用については、説明を省略する。
【０１１５】
本実施の形態が実施の形態１と異なる点は、底面リブ２０６ｅの頂部が段部２６２より下方となるように設けられていること、側面ひれ部２６６が設けられていないこと、凸部２６５の高さが第１収納部２６３の底面と同一平面となる高さより低いことである。
【０１１６】
凸部２６５は、容器２０６が扉フレーム２０５へ正しく取り付けられた状態で、凸部２６５は移動レールであるミドルレール２２１の下面より下方に突出する高さを備えている。
【０１１７】
本実施の形態においても、底面リブ２０６ｅの頂部が段部２６２より下方となるように設けられていることにより、容器２０６の側面のうち、側面フランジ部２０６ｂの下面より下方、かつ、と扉フレーム２０５の上面より上方は、凹凸が形成されていない平坦な形状となる。これにより、容器２０６の側面に沿って前方から後方へと流れる冷却冷気の風路抵抗を低減できる。そして、冷却ファン（図示せず）の入力を低減でき、冷蔵庫の省エネルギー化が図れる。また、側面がフラットな形状となるため意匠性が向上する。
【０１１８】
また、凸部２６５が移動レールであるミドルレール２２１の下面より下方に突出することで、仮にミドルレール２２１の前端部Ａと第１収納部２６３の後端部Ｂ、または、引出扉２０１の後端部Ｃとの間に生じる隙間に、手足の指などを挟むことを防止できる。
【産業上の利用可能性】
【０１１９】
以上のように、本願発明にかかる冷蔵庫は、広い実収納空間を確保することができるので、引き出し式の貯蔵室を備える冷蔵庫に利用可能であり、さらに、引き出しを備えたユニットキッチンなど高品位・意匠デザイン性が求められる分野にも展開が可能である。
【符号の説明】
【０１２０】
１００  冷蔵庫
１０１  断熱箱体
１０２  冷蔵室
１０３  野菜室（貯蔵室）
１０４  冷凍室（貯蔵室）
１０５  製氷室
１０６  切換室
１０７  断熱扉
１０８  仕切壁
１１０  内箱
１１０ａ  側面段差部
１１１  断熱材
１１２  外箱
１４５  回転支持部材
１４６  回転支持部材保持部
２０１  引出扉
２０１ａ  手掛部
２０２  レール装置
２０３  トップレール（移動レール）
２０５  扉フレーム
２０６、３０６  容器
２０６ａ  前面フランジ部
２０６ｂ  側面フランジ部
２０６ｃ  背面フランジ部
２０６ｄ  突起部
２０６ｅ  底面リブ
２０７  パッキン
２１１  内側板
２２１  ミドルレール（移動レール）
２２２  キャビネットレール（固定レール）
２２３  レール取付部
２４１  折曲部
２６１  狭幅部
２６２  段部
２６３  第１収納部
２６４  第２収納部
２６５  凸部
２６６  側面ひれ部
２６７  底面内側リブ部
２６８  底面外側リブ部
２８０  レール保持部材
２８０ａ  レール保持部
２８０ｂ  内倒れ防止手段
２８１  拡大部
３０１  容器固定手段
４０１  底面壁
４０１ａ  底面段差部
【図６】
2013057472.tif 000003
【図９】
2013057472.tif 000004
【図１０】
2013057472.tif 000005
【図１１】
2013057472.tif 000006
【図１２】
2013057472.tif 000007
【図１】
2013057472.tif 000008
【図２】
2013057472.tif 000009
【図３】
2013057472.tif 000010
【図４】
2013057472.tif 000011
【図５】
2013057472.tif 000012
【図７】
2013057472.tif 000013
【図８】
2013057472.tif 000014
【図１３】
2013057472.tif 000015